(57)【要約】      （修正有）【課題】カウンタウエイトと収容体との相対位置を変えることで、ペット給餌装置を転がり状態又は位置決め状態にして、多種の使用モードで給餌ができるペット給餌装置を提供する。【解決手段】ペット給餌装置は、収容体１１０と、収容空間を開閉するように、収容体に枢設されるカバー１２０と、収容体とカバーとを接続し、カバーを収容体に枢設するための枢着群１３０と、円弧面を有し、カウンタウエイトの一端に設けられる揺動端１４１と、カウンタウエイトの他端に設けられる位置決め端１４２と、を含み、収容体に分離可能に接続されるカウンタウエイト１４０と、を備え、カウンタウエイトの揺動端が地面に接触する場合、転がり状態となり、カウンタウエイトの位置決め端が地面に接触する場合、位置決め状態となる。【選択図】図１
0003228112.tif 000002
【実用新案登録請求の範囲】
【請求項１】
収容空間を有する収容体と、
前記収容空間を開閉するように、前記収容体に枢設されるカバーと、
前記収容体と前記カバーとを接続し、前記カバーを前記収容体に枢設するための枢着群と、
円弧面を有し、カウンタウエイトの一端に設けられる揺動端と、カウンタウエイトの他端に設けられる位置決め端と、を含み、前記収容体に分離可能に接続されるカウンタウエイトと、
を備え、
前記カウンタウエイトの前記揺動端が地面に接触する場合、転がり状態となるが、前記カウンタウエイトの前記位置決め端が前記地面に接触する場合、位置決め状態となるペット給餌装置。
【請求項２】
前記カウンタウエイトは、
磁石群と、
前記位置決め端に設けられ、且つ前記磁石群と協働する吸盤と、
を更に含み、
前記磁石群は、力を受けると、前記吸盤を吸着状態又は非吸着状態にするように連動させる請求項１に記載のペット給餌装置。
【請求項３】
前記収容体、前記カバー及び前記カウンタウエイトは、同じ曲率半径を有し、且つ完全に組み合わせられると、球形となる請求項１に記載のペット給餌装置。
【請求項４】
前記枢着群は、
前記収容体と前記カバーとを接続する軸心部材と、
前記軸心部材に接続され、前記カバーを枢動するように連動させる枢動部材と、
を含む請求項１に記載のペット給餌装置。
【請求項５】
前記収容体又は前記カバーに設けられる供給吐出孔を更に備える請求項１に記載のペット給餌装置。
【請求項６】
前記収容体の外面に軌道溝が設けられ、前記カバーの内面に、前記軌道溝内に摺動可能に接続されるスライダが設けられる請求項１に記載のペット給餌装置。
【請求項７】
収容空間を有する収容体と、
前記収容空間を開閉するように、前記収容体に分離可能に接続されるカバーと、
前記カバーに接続されるカウンタウエイトと、
を備え、
前記カバーが前記収容空間を閉鎖する場合、転がり状態となるが、前記カバーが前記収容空間を開放して、且つ分離されて前記収容体の一端に配設される場合、位置決め状態となるペット給餌装置。
【請求項８】
前記カバーは、
前記収容体に分離可能に接続される第１のアセンブリと、
前記第１のアセンブリに分離可能に接続される第２のアセンブリと、
を更に含む請求項７に記載のペット給餌装置。
【請求項９】
前記カウンタウエイトは、前記第１のアセンブリの一端又は前記第２のアセンブリの一端に接続される請求項８に記載のペット給餌装置。
【請求項１０】
前記カウンタウエイトは、
磁石群と、
前記カウンタウエイトから露出し、且つ前記磁石群と協働する吸盤と、
を含み、
前記磁石群は、力を受けると、前記吸盤を吸着状態又は非吸着状態にするように連動させる請求項７に記載のペット給餌装置。
【請求項１１】
前記収容体、前記カバー及び前記カウンタウエイトは、同じ曲率半径を有し、且つ完全に組み合わせられると、球形となる請求項７に記載のペット給餌装置。
【請求項１２】
前記収容体又は前記カバーに設けられる供給吐出孔を更に備える請求項７に記載のペット給餌装置。
【考案の詳細な説明】
【技術分野】
【０００１】
本考案は、ペット給餌装置に関し、特に、対話給餌及び定点給餌を両立させるペット給餌装置に関する。
【背景技術】
【０００２】
近年、ペット経済に乗って、ますます多くのペット用品が要求に応じて開発され、様々なペット給餌装置が市販されているが、そのほとんどは静的装置であり、娯楽性が不足で、ペットの興味を掻き立てることはできない。
【０００３】
そのため、ある業者によりペットと対話可能な給餌装置が登場し、給餌装置の移動によって、ペットの興味を引き、ペットを動かせて、ペットに娯楽及び摂食を同時に行わせることで、食欲不振のペットの興味を引き、又は肥満のペットの運動性を増加させ、ペットの心身健康を効果的に改善することができる。しかしながら、上記の対話可能なペット給餌装置は、移動自在となるように、その構造外観がほぼ球体となるが、球体構造のペット給餌装置には、ランダムに転がし、及び位置決め機能に欠如するという欠点があり、更に飼い主の家庭内環境を汚してしまう。
【考案の概要】
【考案が解決しようとする課題】
【０００４】
これに鑑みて、ペットと対話可能で且つ位置決め機能を兼ね備えるペット給餌装置の開発は、関連業者の研究価値のある目的となる。
【課題を解決するための手段】
【０００５】
本考案は、カウンタウエイトと収容体との相対関係を変えることで、転がり状態又は位置決め状態にさせ、多様な使用モードを与えて、その実用性及び適用範囲を増えるペット給餌装置を提供する。
【０００６】
本考案の一実施形態によれば、収容空間を有する収容体と、収容空間を開閉するように、収容体に枢設されるカバーと、収容体とカバーとを接続し、カバーを収容体に枢設するための枢着群と、円弧面を有し、カウンタウエイトの一端に設けられる揺動端と、カウンタウエイトの他端に設けられる位置決め端と、を含み、収容体に分離可能に接続されるカウンタウエイトと、を備え、カウンタウエイトの揺動端が地面に接触する場合、転がり状態となるが、カウンタウエイトの位置決め端が地面に接触する場合、位置決め状態となるペット給餌装置を提供する。
【０００７】
前記段落に記載のペット給餌装置によると、カウンタウエイトは、磁石群と、位置決め端に設けられ、且つ磁石群と協働する吸盤と、を更に含んでよく、磁石群は、力を受けると、吸盤を吸着状態又は非吸着状態にするように連動させる。
【０００８】
前記段落に記載のペット給餌装置によると、収容体、カバー及びカウンタウエイトは、同じ曲率半径を有してよく、且つ完全に組み合わせられると、球形となる。
【０００９】
前記段落に記載のペット給餌装置によると、枢着群は、収容体とカバーとを接続する軸心部材と、軸心部材に接続され、カバーを枢動するように連動させる枢動部材と、を含んでよい。
【００１０】
前記段落に記載のペット給餌装置によると、収容体又はカバーに設けられる供給吐出孔を更に備えてよい。
【００１１】
前記段落に記載のペット給餌装置によると、収容体の外面に軌道溝が設けられ、カバーの内面に、軌道溝内に摺動可能に接続されるスライダが設けられる。
【００１２】
本考案の別の実施形態によると、収容空間を有する収容体と、収容空間を開閉するように、収容体に分離可能に接続されるカバーと、カバーに接続されるカウンタウエイトと、を備え、カバーが収容空間を閉鎖する場合、転がり状態となるが、カバーが収容空間を開放して、且つ分離されて収容体の一端に配設される場合、位置決め状態となるペット給餌装置を提供する。
【００１３】
前記段落に記載のペット給餌装置によると、カバーは、収容体に分離可能に接続される第１のアセンブリと、第１のアセンブリに分離可能に接続される第２のアセンブリと、を更に含んでよい。
【００１４】
前記段落に記載のペット給餌装置によると、カウンタウエイトは、第１のアセンブリの一端又は第２のアセンブリの一端に接続されてよい。
【００１５】
前記段落に記載のペット給餌装置によると、カウンタウエイトは、磁石群と、カウンタウエイトから露出し、且つ磁石群と協働する吸盤と、を含み、磁石群は、力を受けると、吸盤を吸着状態又は非吸着状態にするように連動させる。
【００１６】
前記段落に記載のペット給餌装置によると、収容体、カバー及びカウンタウエイトは、同じ曲率半径を有してよく、且つ完全に組み合わせられると、球形となる。
【００１７】
前記段落に記載のペット給餌装置によると、収容体又はカバーに設けられる供給吐出孔を更に備えてよい。
【図面の簡単な説明】
【００１８】
【図１】本考案の一実施形態によるペット給餌装置を示す模式図である。
【図２】図１の実施形態によるペット給餌装置を示す分解図である。
【図３Ａ−Ｃ】図３Ａは、図１の実施形態によるペット給餌装置を示す側面図である。図３Ｂは、図１の実施形態によるペット給餌装置の別の状態を示す側面図である。図３Ｃは、図１の実施形態によるペット給餌装置のまた１つの状態を示す側面図である。
【図４】本考案の別の実施形態によるペット給餌装置を示す模式図である。
【図５Ａ−Ｂ】図５Ａは、本考案のまた１つの実施形態によるペット給餌装置を示す側面図である。図５Ｂは、図５Ａの実施形態によるペット給餌装置の別の状態を示す側面図である。
【図６Ａ−Ｃ】図６Ａは、本考案のまた１つの実施形態によるペット給餌装置を示す側面図である。図６Ｂは、図６Ａの実施形態によるペット給餌装置の別の状態を示す側面図である。図６Ｃは、図６Ａの実施形態によるペット給餌装置のまた１つの状態を示す側面図である。
【考案を実施するための形態】
【００１９】
以下、添付の図面を参照して、本考案の実施例を説明する。明確に説明するために、多くの実際的な細部を下記叙述で合わせて説明する。しかしながら、これらの実際の細部は本考案を制限するためのものではないことを理解すべきである。つまり、本考案の実施例の一部において、これらの実際の細部は、必要ないものである。また、図面を簡略化するために、ある従来慣用の構造及び素子は、簡単で模式的に図示される。また、繰り返した素子は同じ番号で表示される場合もある。
【００２０】
図１、図２、図３Ａ及び図３Ｂを参照すると、図１は本考案の一実施形態によるペット給餌装置１００を示す模式図であり、図２は図１の実施形態によるペット給餌装置１００を示す分解図であり、図３Ａは図１の実施形態によるペット給餌装置１００を示す側面図であり、図３Ｂは図１の実施形態によるペット給餌装置１００の別の状態を示す側面図である。図１及び図２に示すように、ペット給餌装置１００は、収容体１１０と、カバー１２０と、枢着群１３０と、カウンタウエイト１４０と、を備える。
【００２１】
収容体１１０は、収容空間１１１を有し、飼料を入れることに用いられることができる。カバー１２０は、収容空間１１１を開閉するように、収容体１１０に枢設される。枢着群１３０は、収容体１１０とカバー１２０とを接続し、カバー１２０を収容体１１０に枢設することに用いられる。カウンタウエイト１４０は、収容体１１０に分離可能に接続され、揺動端１４１及び位置決め端１４２を含む。揺動端１４１は、円弧面を有し、カウンタウエイト１４０の一端に設けられるが、位置決め端１４２は、カウンタウエイト１４０の他端に設けられる。ペット給餌装置１００は、カウンタウエイト１４０の揺動端１４１が地面に接触する場合、転がり状態となる（図３Ａに示すように）が、カウンタウエイト１４０の位置決め端１４２が地面に接触する場合、位置決め状態（図３Ｂに示すように）となる。
【００２２】
カウンタウエイト１４０の収容体１１０に着脱可能な構造配置によって、飼い主は、使用要求に応じて、ペット給餌装置１００の使用状態を変えるように、カウンタウエイト１４０の揺動端１４１又は位置決め端１４２を地面に選択的に接触させてよい。これにより、本考案のペット給餌装置１００は、定点給餌及び対話娯楽の機能を両立させて、その適用範囲を更に広めることができる。
【００２３】
カウンタウエイト１４０は、その重量が収容体１１０及びカバー１２０の重量よりも大きくてよく、より具体的には、ペット給餌装置１００の重心の位置を制御して、ペット給餌装置１００の重心をその全体の中心から偏心させることができる。これにより、カウンタウエイト１４０は、ペット給餌装置１００が転がり状態となる場合、ペット給餌装置１００全体のバランスをとって、ペット給餌装置１００をダルマのように揺れさせて、収容空間１１１が一方向に向けるように常に保持することができるが、ペット給餌装置１００が位置決め状態となる場合、ペット給餌装置１００を地面により安定して接続させることができる。
【００２４】
また図３Ａ及び図３Ｂを参照されたい。より具体的に、ペット給餌装置１００は、図３Ａにおいて、カウンタウエイト１４０の揺動端１４１が地面に接触する場合、転がり状態となるが、図３Ｂにおいて、カウンタウエイト１４０の位置決め端１４２が地面に接触する場合、位置決め状態となる。
【００２５】
詳しくは、図３Ａにおいて、カウンタウエイト１４０は、その揺動端１４１が地面に接触する場合、ペット給餌装置１００全体の重心を中点から偏心させるように制御して、収容空間１１１が常に上向きに保持する。また、揺動端１４１の円弧面の構造を設けることで、ペット給餌装置１００は、ダルマのように不規則に揺れることができる。飼い主又はペットがペット給餌装置１００に力を加えると、ペット給餌装置１００は、不規則に揺れ動き又は転がることで、ペットの興味を引き、ペットを遊ばせる娯楽機能を与えることができる。
【００２６】
図３Ｂに示すように、ペット給餌装置１００が位置決め状態となる場合、カウンタウエイト１４０の位置決め端１４２は、地面に接触する。位置決め端１４２は平面構造であってよく、且つカウンタウエイト１４０を設けることで、ペット給餌装置１００の重心を地面により近接させることができる。このように、ペット給餌装置１００は地面により安定して置かれることができ、不意の衝突によって倒れるリスクを避けることができる。
【００２７】
また図２を合せて参照すると、収容体１１０のカウンタウエイト１４０に接続される一端は、構造形状がカウンタウエイト１４０の揺動端１４１の円弧状構造に対応する結合溝１１４を有してよい。つまり、ペット給餌装置１００が位置決め状態となる場合、収容体１１０がカウンタウエイト１４０により安定して接続されるように、カウンタウエイト１４０の揺動端１４１は、収容体１１０の結合溝１１４内に対応して係合される。
【００２８】
カウンタウエイト１４０は、磁石群（別に図示せず）と、吸盤１４４と、を含んでよい。吸盤１４４は、カウンタウエイト１４０から露出するように位置決め端１４２に設けられ、且つ磁石群と協働することができる。磁石群は、力を受けると、吸盤１４４を吸着状態又は非吸着状態にするように連動させる。更に言うと、図１の実施形態において、磁石群は、位置決め端１４２が力を受けると、力を受けるように協働して、吸盤１４４が吸着状態となるように連動させるが、位置決め端１４２の受けた力が解除されると、受けた力を解除するように協働して、且つ吸盤１４４が非吸着状態となるように連動させる。より詳しくに言うと、カウンタウエイト１４０の位置決め端１４２が力を受けていない場合、磁石群は、カウンタウエイト１４０内で磁力のバランスをとって、吸盤１４４を非吸着状態にすることができる。カウンタウエイト１４０が力を受けると、磁力のバランスが崩れて、吸盤１４４が吸着状態にされ、且つこの場合、吸盤１４４と地面との間は真空状態となる。これにより、吸盤１４４を設けることで、カウンタウエイト１４０の位置決め端１４２を地面により確実に接続させ、また受けた力を除去することで、吸着状態を解除し、操作の便利性を更に達成させることができる。
【００２９】
図１の実施形態によるペット給餌装置１００のまた１つの状態を示す側面図である図３Ｃを参照されたい。図３Ｃに示すように、カバー１２０は、収容体１１０の収容空間１１１を開閉するように、収容体１１０に対して枢動することができる。ペット給餌装置１００が位置決め状態となり且つカバー１２０が収容体１１０に対して収容空間１１１を開放する場合、ペット給餌装置１００は、ペットのボウルとして使用され、定点給餌の機能を与えることができる。ペットが飼料を摂食しない場合、飼い主は、カバー１２０によって収容体１１０の収容空間１１１を閉鎖して、また、これにより、収容空間１１１内の飼料の鮮度を保持するように、カバー１２０を枢動させてよい。なお、カウンタウエイト１４０の吸盤１４４を設けることで、ペット給餌装置１００と地面との接続の安定性を更に広め、これにより、ペットが摂食の時にペット給餌装置１００を倒す可能性を避けることができる。
【００３０】
また更に言うと、カバー１２０は、枢着群１３０によって収容体１１０に対して枢動する。図１の実施形態において、枢着群１３０は、２つであり、それぞれペット給餌装置１００の両側に対称に設けられるが、本考案はこの開示内容に限定されない。
【００３１】
また図２を合せて参照すると、枢着群１３０は、収容体１１０とカバー１２０とを接続する軸心部材１３１と、軸心部材１３１に接続されて、カバー１２０を枢動するように連動させる枢動部材１３２と、を含んでよい。より詳しく言うと、枢動部材１３２は、収容体１１０の取付孔１１６内に係合されるように、軸心部材１３１とカバー１２０との間に設けられる。軸心部材１３１は、カバー１２０の係合孔１２１内に係合される凸部１３３を有する。枢動部材１３２は、軸心部材１３１の凸部１３３を摺動させ且つカバー１２０を変位するように連動させるシュート１３４を有する。収容体１１０は、取付孔１１６から延出して、軸心部材１３１の凸部１３３の位置を制限するための位置限定溝１３５を有する。
【００３２】
より具体的に、また図３Ａ〜図３Ｃを合わせて参照すると、図３Ａにおいて、カバー１２０と収容体１１０とが閉鎖状態となり、この場合、軸心部材１３１の凸部１３３は、カバー１２０が収容体１１０に対して枢動できないように、収容体１１０の位置限定溝１３５内に嵌着される。図３Ｂに示すように、カバー１２０を枢動させようとする場合、カバー１２０を方向Ｄに沿って引き上げて、軸心部材１３１の凸部１３３を枢動部材１３２のシュート１３４に沿って摺動させて且つ収容体１１０の位置限定溝１３５による位置限定から脱離させる。この場合、枢動部材１３２は、軸心部材１３１によってカバー１２０を枢動するように連動させることができる。これにより、カバー１２０が収容空間１１１に対して開放又は閉鎖となる場合の状態をより安定にすることができる。
【００３３】
一方、図３Ａから分かるように、収容体１１０、カバー１２０及びカウンタウエイト１４０は、同じ曲率半径を有し、且つ完全に組み合わせられると、球形となる。これにより、カバー１２０は、方向Ｄに沿って引き上げられると、収容体１１０との間に段差が生じ、且つ理解すべきなのは、その両者が同じ曲率半径を有するため、カバー１２０が枢動される場合、収容体１１０の構造形状により妨げられることはない。これにより、枢着群１３０の操作をより円滑で便利にすることができる。
【００３４】
説明すべきなのは、他の実施形態において、異なる適用要求に対応するように、カバー１２０と収容体１１０とは、例えば、反転軸、ヒンジ又はギヤ等の他の形態で接続されてもよいが、本考案はこれに限定されない。
【００３５】
また、飼い主がカウンタウエイト１４０を容易に取り外し及び組み合わせるように、図２に示すように、カウンタウエイト１４０は複数のねじ部１４５を有してよく、収容体１１０は複数のねじ溝１１５を有してよく、且つ各ねじ溝１１５の設置位置が各ねじ部１４５の設置位置に対応する。これにより、ペット給餌装置１００の収容体１１０とカウンタウエイト１４０とは、捩じ込まれるように接続されてよい。図２の実施形態において、ねじ溝１１５及びねじ部１４５は、両方向の捩じ込み構造であってよい。より詳しくに言うと、カウンタウエイト１４０を取り外そうとする場合、カウンタウエイト１４０を反時計回りに回転させて、収容体１１０から取り外すが、カウンタウエイト１４０を収容体１１０に組み合わせようとする場合、カウンタウエイト１４０のねじ部１４５を収容体１１０の各ねじ溝１１５に位置合わせて、カウンタウエイト１４０を時計回りに回転させて、各ねじ部１４５を各ねじ溝１１５に締め付ける。上記構造配置によれば、ペット給餌装置１００の状態を切り替える場合の操作をより簡単で便利にすることができる。説明すべきなのは、本考案はこの開示内容に限定されなく、他の実施形態において、カウンタウエイト１４０及び収容体１１０は、磁気吸着又は他の形態で分離可能に接続されてもよい。
【００３６】
カバー１２０は、収容体１１０によりしっかりと接続されるように、固定係止部１２２を更に含んでよく、ペット給餌装置１００の収容体１１０が閉鎖状態となる場合、固定係止部１２２は、カバー１２０と収容体１１０との相対位置を制限することに用いられることができ、これにより、カバー１２０が衝突により収容体１１０から脱離することを避け、またペット給餌装置１００の安定性を向上させることができる。
【００３７】
一方、ペット給餌装置１００は、供給吐出孔１１２を更に備えてよい。図１の実施形態において、供給吐出孔１１２は、カバー１２０に設けられるが、他の実施例において、収容体１１０に設けられてもよいが、本考案はこれに限定されない。詳しくは、ペット給餌装置１００が転がり状態となり且つカバー１２０が収容空間１１１を閉鎖する場合（図３Ａに示すように）、ペットがペット給餌装置１００を押し動かすと、飼料は、供給吐出孔１１２を介して収容空間１１１から漏れ、この場合、ペット給餌装置１００は飼料漏出球として使用されることができる。また、供給吐出孔１１２は、更に、収容空間１１１内の飼料の匂いを漏れ出させて、ペットを吸引し、ペットの活動の意欲を向上させることができる。これにより、本考案のペット給餌装置１００は、対話式の給餌機能を与え、娯楽と給餌の機能を両立させて、ペットの活動の意欲を向上させ、又はその食欲を増進させることができる。
【００３８】
ペット給餌装置１００は、供給吐出孔１１２に摺動可能に接続される孔カバー１１３を更に備えてよい。孔カバー１１３は、供給吐出孔１１２の開閉を制御することに用いられ、摺動孔カバー１１３によって、供給吐出孔１１２の開放の程度を制御し、更に漏れた飼料の多寡を制御することができる。孔カバー１１３が供給吐出孔１１２を完全に覆う場合、飼料は供給吐出孔１１２から漏れなく、この場合、ペット給餌装置１００は、ペット玩具として使用されることができる。これにより、飼い主は、ペットの娯楽や給餌の機能を与えるように、使用モードの要求に応じて供給吐出孔１１２の大きさを制御して、且つ本考案のペット給餌装置１００の適用範囲を更に広めることができる。
【００３９】
ペット給餌装置１００の収容体１１０及びカバー１２０は、透明材質であってよく、これにより、ペット給餌装置１００は、収容空間１１１の飼料の状況を観察できる機能を持つことができる。これにより、飼い主は、内部の飼料の多寡に応じて補充することができ、本考案のペット給餌装置１００の使用便利性を更に広める。
【００４０】
本考案の別の実施形態によるペット給餌装置４００を示す模式図である図４を参照されたい。図４のペット給餌装置４００の構造は、図１のペット給餌装置１００と類似であるので、同じ点についてはここで詳しく説明しない。ペット給餌装置４００の収容体４１０の外面に軌道溝４１７が設けられ、カバー４２０の内面に、軌道溝４１７内に摺動可能に接続されるスライダ（図示せず）が設けられることに、異なっている。
【００４１】
詳しくは、スライダの設置位置は軌道溝４１７の設置位置に対応し、カバー４２０が枢着群４３０を介して収容体４１０に対して摺動する場合、スライダは、軌道溝４１７内を摺動する。これにより、カバー４２０の枢動操作をより円滑及び安定にすることができる。
【００４２】
図５Ａ及び図５Ｂを参照すると、図５Ａは本考案の別の実施形態によるペット給餌装置２００を示す側面図であり、図５Ｂは図５Ａの実施形態によるペット給餌装置２００の別の状態を示す側面図である。ペット給餌装置２００は、収容体２１０と、カバー２２０と、カウンタウエイト２３０と、を備える。
【００４３】
収容体２１０は、収容空間（特に図示せず）を有し、飼料を入れることに用いられることができる。カバー２２０は、収容空間を閉鎖し又はそれに接続されるように、収容体２１０に分離可能に接続される。カウンタウエイト２３０は、カバー２２０に接続される。カバー２２０が収容空間を閉鎖する場合、ペット給餌装置２００は転がり状態となる。カバー２２０が収容空間を開放して、分離されて収容体２１０の一端に配設される場合、ペット給餌装置２００は位置決め状態となる。
【００４４】
カバー２２０は、収容体２１０に分離可能に接続される第１のアセンブリ２２３と、第１のアセンブリ２２３に分離可能に接続される第２のアセンブリ２２４と、を含んでよい。
【００４５】
図５Ａの実施形態において、ペット給餌装置２００は、揺動端２４１及び位置決め端２４２を有する。揺動端２４１は、円弧面を有し、且つ収容体２１０の一端に設けられる。位置決め端２４２は第１のアセンブリ２２３の一端に設けられ、且つカウンタウエイト２３０は位置決め端２４２に設けられる。揺動端２４１が地面に接触する場合、ペット給餌装置２００は、転がり状態となり（図５Ａに示すように）、不規則に揺れ又は転がる。位置決め端２４２が地面に接触する場合、ペット給餌装置２００は、地面に固定され、位置決め状態となる（図５Ｂに示すように）。
【００４６】
また更に言うと、カウンタウエイト２３０は、第１のアセンブリ２２３に接続され、ペット給餌装置２００が転がり状態となる場合、ペット給餌装置２００を安定して揺動させるように、その全体の重心を中点から偏心させることができる。ペット給餌装置２００が位置決め状態となる場合、カウンタウエイト２３０は、ペット給餌装置２００を地面に確実に接続させて、収容体２１０が衝突によって倒れるリスクを低下させることができる。
【００４７】
カウンタウエイト２３０は、磁石群（図示せず）及び吸盤２４４を含む。吸盤２４４は、カウンタウエイト２３０から露出するように位置決め端２４２に設けられ、且つ磁石群と協働することができ、磁石群は、力を受けると、吸盤２４４を吸着状態又は非吸着状態にするように連動させる。図５Ａの実施形態において、位置決め端２４２が力を受けると、その磁石群が力を受けるように協働して、磁石群によって吸盤２４４を吸着状態となるように連動させる。位置決め端２４２の受けた力が解除されると、磁石群が受けた力を解除するように協働して、吸盤２４４を非吸着状態となるように連動させる。ここで説明すべきなのは、図５Ａのペット給餌装置２００のカウンタウエイト２３０は、図１のペット給餌装置１００のカウンタウエイト１４０の構造と同じであり、この詳しい構造についてはここで別に説明しない。
【００４８】
これにより、使用者は、ペット給餌装置２００を転がり状態から位置決め状態に切り替えるようとする場合、第１のアセンブリ２２３の吸盤２４４の設けられた一端を地面に接触させて、収容体２１０をカバー２２０の第１のアセンブリ２２３の空間（特に図示せず）内に置き、この場合、ペット給餌装置２００は、ペットのボウルとして使用される。
【００４９】
カバー２２０の第１のアセンブリ２２３及び第２のアセンブリ２２４を取り外して、第１のアセンブリ２２３及び第２のアセンブリ２２４と収容体２１０との相対関係を変えることで、状態を切り替える目的を達成させ、ペット給餌装置２００の使用の柔軟性を高める。
【００５０】
５Ａの実施形態において、ペット給餌装置２００の第２のアセンブリ２２４は、柔軟的な保護材であってよく、第１のアセンブリ２２３を覆うことで、ペットとペット給餌装置２００との対話の間の、カウンタウエイト２３０の吸盤２４４の損傷を避ける。
【００５１】
また、ペット給餌装置２００の組立作業をより便利にするように、第１のアセンブリ２２３、第２のアセンブリ２２４及び収容体２１０の間の接続設置は、捩じ込み、磁気吸着又は係合等の接続関係であってよいが、本考案はこの開示内容に限定されない。
【００５２】
図５Ａから分かるように、収容体２１０及びカバー２２０は、同じ曲率半径を有してよい。これにより、図５Ａの転がり状態でのペット給餌装置２００は、球技玩具としてペットの娯楽に用いられることができる。ペット給餌装置２００は、収容体２１０に設けられる供給吐出孔２１２を更に備えてよく、ペット給餌装置２００が転がり状態となる場合、ペットがペット給餌装置２００を押し動かすと、飼料は、供給吐出孔２１２を介して収容空間内から漏れ、また、供給吐出孔２１２は、更に、収容空間内の飼料の匂いを漏れ出させて、ペットの活動の意欲を向上させることができる。これにより、ペット給餌装置２００は、娯楽と給餌を両立させる効果を達成させ、またペットの食欲及び活動量を向上させることができる。
【００５３】
図６Ａ、図６Ｂ及び図６Ｃを参照すると、図６Ａは本考案のまた１つの実施形態によるペット給餌装置３００を示す側面図であり、図６Ｂは図６Ａの実施形態によるペット給餌装置３００の別の状態を示す側面図であり、図６Ｃは図６Ａの実施形態によるペット給餌装置３００のまた１つの状態を示す側面図である。ペット給餌装置３００は、収容体３１０と、カバー３２０と、カウンタウエイト３３０と、を備え、カバー３２０は、第１のアセンブリ３２３及び第２のアセンブリ３２４を含んでよい。
【００５４】
より具体的に、図６Ａのペット給餌装置３００の構造は、図５Ａのペット給餌装置２００の構造と類似であるので、同じ点についてはここで詳しく説明しない。図６Ａにおいて、ペット給餌装置３００は、そのカウンタウエイト３３０が第２のアセンブリ３２４の一端に接続されることに、異なっている。第１のアセンブリ３２３及び第２のアセンブリ３２４と収容体３１０との相対位置を変えることで、ペット給餌装置３００を転がり状態（図６Ａ及び図６Ｃに示すように）又は位置決め状態にする（図６Ｂに示すように）。
【００５５】
また、ペット給餌装置３００の揺動端は、収容体３１０に設けられる第１の揺動端３４１ａと、第２のアセンブリ３２４の他端に設けられる第２の揺動端３４１ｂを有してよく、ペット給餌装置３００は、第１の揺動端３４１ａ又は第２の揺動端３４１ｂが地面に接触する場合、転がり状態となり（図６Ａ及び図６Ｃに示すように）、第２のアセンブリ３２４のカウンタウエイト３３０の設けられた一端が地面に接触する場合、位置決め状態となる。
【００５６】
より詳しくに言うと、図６Ａにおいて、第１の揺動端３４１ａが地面に接触し、この場合、ペット給餌装置３００は、転がり運動を行うことができ、球技玩具としてペットの娯楽に用いられることができ、且つ飼料は供給吐出孔３１２から漏れて、ペットのペット給餌装置３００に対する興味を増える。図６Ｂにおいて、収容体３１０は、収容体３１０の収容空間（特に図示せず）を開放するように、カバー３２０の第１のアセンブリ３２３の空間内（特に図示せず）に配設されて、またペットのボウルとして使用され、且つ第２のアセンブリ３２４の位置決め端３４２が地面に接続され、ペット給餌装置３００がペットのボウルとして使用される場合の安定性を更に向上させることができる。図６Ｃにおいて、系以第２のアセンブリ３２４の第２の揺動端３４１ｂが地面に接触し、これにより、ペット給餌装置３００は、カウンタウエイト３３０の設置によって、ダルマのように揺れ、また転がり状態でペットのボウルとして使用されることができる。これにより、ペットがペット給餌装置３００を使用する場合の面白さを更に広めることができる。
【００５７】
以上をまとめると、カウンタウエイトと収容体との構造関係を変えることで、本考案のペット給餌装置を異なる状態及び異なるモードで使用して、飼い主の広い適用要求に満たすことができる。また、本考案のペット給餌装置は、構造が簡単であり、且つ取り外し及び組み立て操作が便利であり、更に、本考案のペット給餌装置の使用の便利性及び柔軟性を向上させることができる。
【００５８】
本考案では実施形態を前述の通り開示したが、これらは本考案を限定するものではなく、当業者であれば、本考案の精神と領域を離脱しない範囲内で、多様の変動や修正を加えることができ、従って本考案の保護範囲は、実用新案登録請求の範囲で指定した内容を基準とする。
【符号の説明】
【００５９】
１００、２００、３００、４００  ペット給餌装置
１１０、２１０、３１０、４１０  収容体
１１１  収容空間
１１２、２１２、３１２  供給吐出孔
１１３  孔カバー
１１４  結合溝
１１５  ねじ溝
１１６  取付孔
１２０、２２０、３２０、４２０  カバー
１２１  係合孔
１２２  固定係止部
１３０、４３０  枢着群
１３１  軸心部材
１３２  枢動部材
１３３  凸部
１３４  シュート
１３５  位置限定溝
１４０、２３０、３３０  カウンタウエイト
１４１、２４１  揺動端
１４２、２４２、３４２  位置決め端
１４４、２４４  吸盤
１４５  ねじ部
２２３、３２３  第１のアセンブリ
２２４、３２４  第２のアセンブリ
３４１ａ  第１の揺動端
３４１ｂ  第２の揺動端
４１７  軌道溝
Ｄ  方向
【図１】
0003228112.tif 000003
【図２】
0003228112.tif 000004
【図３Ａ−Ｃ】
0003228112.tif 000005
【図４】
0003228112.tif 000006
【図５Ａ−Ｂ】
0003228112.tif 000007
【図６Ａ−Ｃ】
0003228112.tif 000008